(57)【要約】【課題】目印が重複して存在する場合においても目印を用いて案内交差点を正確に特定させる案内を行うことを可能にした移動案内装置及びコンピュータプログラムを提供する。【解決手段】案内経路に沿った車両の走行案内を行う場合において、案内交差点周辺にあって案内交差点における移動体の移動案内を行う目印となる基準目印を設定し、案内交差点よりも出発地側に基準目印が重複して存在する場合に、案内交差点周辺にある基準目印以外の目印を追加目印として設定し、基準目印及び追加目印を用いて案内交差点における走行案内を行うように構成する。【選択図】図８
2020091189.tif 000002
【特許請求の範囲】
【請求項１】
移動体の移動経路周辺に位置する目印を用いて案内交差点における移動体の移動案内を行う移動案内装置であって、
前記案内交差点周辺にあって前記案内交差点における移動体の移動案内を行う目印となる基準目印を設定する目印設定手段と、
前記案内交差点よりも前記移動経路の出発地側に前記基準目印が重複して存在するか否か判定する重複判定手段と、
前記案内交差点よりも前記移動経路の出発地側に前記基準目印が重複して存在すると判定された場合に、前記案内交差点周辺にある前記基準目印以外の目印を追加目印として設定する追加目印設定手段と、
前記基準目印及び前記追加目印を用いて前記案内交差点における移動案内を行う移動案内手段と、を有する移動案内装置。
【請求項２】
前記基準目印を識別する第１フレーズと、前記追加目印を識別する第２フレーズとをそれぞれ含む案内フレーズを生成し、
前記移動案内手段は、生成された前記案内フレーズを出力することにより前記案内交差点の案内を行う請求項１に記載の移動案内装置。
【請求項３】
前記追加目印は、前記案内交差点の周辺にあって前記基準目印と異なるジャンルの施設である請求項１又は請求項２に記載の移動案内装置。
【請求項４】
前記追加目印は、前記案内交差点の周辺にあって前記基準目印と異なる構造物であって特徴のある構造物である請求項１又は請求項２に記載の移動案内装置。
【請求項５】
前記追加目印は、外観又は設備に特徴のある構造物である請求項４に記載の移動案内装置。
【請求項６】
前記追加目印は、前記案内交差点に接続される道路の特徴である請求項１又は請求項２に記載の移動案内装置。
【請求項７】
前記追加目印は、前記案内交差点に接続される道路の内、移動体が前記案内交差点に進入する進入道路又は前記進入道路に対して交差する交差道路の特徴である請求項６に記載の移動案内装置。
【請求項８】
前記追加目印は、前記基準目印の外観又は設備に関する特徴である請求項１又は請求項２に記載の移動案内装置。
【請求項９】
移動体の移動経路周辺に位置する目印を用いて案内交差点における移動体の移動案内を行う場合において、
コンピュータを、
前記案内交差点周辺にあって前記案内交差点における移動体の移動案内を行う目印となる基準目印を設定する目印設定手段と、
前記案内交差点よりも前記移動経路の出発地側に前記基準目印が重複して存在するか否か判定する重複判定手段と、
前記案内交差点よりも前記移動経路の出発地側に前記基準目印が重複して存在すると判定された場合に、前記案内交差点周辺にある前記基準目印以外の目印を追加目印として設定する追加目印設定手段と、
前記基準目印及び前記追加目印を用いて前記案内交差点における移動案内を行う移動案内手段と、
して機能させる為のコンピュータプログラム。
【発明の詳細な説明】
【技術分野】
【０００１】
本発明は、目印を用いた移動案内を行う移動案内装置及びコンピュータプログラムに関する。
【背景技術】
【０００２】
近年、車両の走行案内を行い、運転者が所望の目的地に容易に到着できるようにしたナビゲーション装置が車両に搭載されていることが多い。ここで、ナビゲーション装置とは、ＧＰＳ受信機などにより自車の現在位置を検出し、その現在位置に対応する地図データをＤＶＤ−ＲＯＭやＨＤＤなどの記録媒体またはネットワークを通じて取得して液晶モニタに表示することが可能な装置である。更に、かかるナビゲーション装置には、所望する目的地を入力すると、出発地から目的地までの最適経路を探索する経路探索機能を備えている。そして、探索結果に基づいて設定された案内経路をディスプレイ画面に表示するとともに、右左折等の案内の対象となる交差点（以下、案内交差点という）に接近した場合には音声やディスプレイ画面を用いた案内を行うことによって、ユーザを所望の目的地まで確実に案内するようになっている。また、近年は携帯電話機、スマートフォン、タブレット型端末、パーソナルコンピュータ等においても上記ナビゲーション装置と同様の機能を有するものがある。更に、車両以外にも歩行者や二輪車を対象として上記案内を行うことも可能である。
【０００３】
ここで、案内交差点において右左折等の案内を行う際には、案内交差点をユーザに正確に特定させることが重要である。そこで、従来では案内交差点において目印となる施設や構造物等を用いて案内を行うことが行われていた。しかしながら、案内交差点の周囲に複数の目印が重複して存在する場合があり、そのような場合には目印を用いた案内を行うことによってユーザが案内交差点を誤認する虞があった。そこで、例えば特開２０１３−２９３８０号公報には、目印を用いた案内交差点の案内を行う場合において、車両から案内交差点までの間に案内交差点の目印として設定された施設や構造物と同種類の施設や構造物が存在する場合については、目印を用いた案内を行わないようにする技術について記載されている。
【先行技術文献】
【特許文献】
【０００４】
【特許文献１】特開２０１３−２９３８０号公報（第１７頁）
【発明の概要】
【発明が解決しようとする課題】
【０００５】
しかしながら、特に都心部の交差点では交差点周辺において多数の施設や構造物が存在する。したがって、案内交差点の周囲に目印が重複して存在する場合も多くあり、そのような場合に上記特許文献１のように一律に目印を用いた案内を行わないようにすると、案内交差点をユーザに正確に特定させるという本来の目的が達成できなくなる。
【０００６】
本発明は前記従来における問題点を解消するためになされたものであり、目印を用いた案内交差点の移動案内を行う場合において、目印が重複して存在する場合においても目印を用いて案内交差点を正確に特定させる案内を行うことを可能にした移動案内装置及びコンピュータプログラムを提供することを目的とする。
【課題を解決するための手段】
【０００７】
前記目的を達成するため本発明に係る移動案内装置は、移動体の移動経路周辺に位置する目印を用いて案内交差点における移動体の移動案内を行う移動案内装置であって、前記案内交差点周辺にあって前記案内交差点における移動体の移動案内を行う目印となる基準目印を設定する目印設定手段と、前記案内交差点よりも前記移動経路の出発地側に前記基準目印が重複して存在するか否か判定する重複判定手段と、前記案内交差点よりも前記移動経路の出発地側に前記基準目印が重複して存在すると判定された場合に、前記案内交差点周辺にある前記基準目印以外の目印を追加目印として設定する追加目印設定手段と、前記基準目印及び前記追加目印を用いて前記案内交差点における移動案内を行う移動案内手段と、を有する。
尚、「移動体」としては、車両以外に、歩行者（ユーザ自身）や二輪車も含む。
【０００８】
また、本発明に係るコンピュータプログラムは、移動体の移動経路周辺に位置する目印を用いて案内交差点における移動体の移動案内を行うプログラムである。具体的には、コンピュータを、前記案内交差点周辺にあって前記案内交差点における移動体の移動案内を行う目印となる基準目印を設定する目印設定手段と、前記案内交差点よりも前記移動経路の出発地側に前記基準目印が重複して存在するか否か判定する重複判定手段と、前記案内交差点よりも前記移動経路の出発地側に前記基準目印が重複して存在すると判定された場合に、前記案内交差点周辺にある前記基準目印以外の目印を追加目印として設定する追加目印設定手段と、前記基準目印及び前記追加目印を用いて前記案内交差点における移動案内を行う移動案内手段と、して機能させる。
【発明の効果】
【０００９】
前記構成を有する本発明に係る移動案内装置及びコンピュータプログラムによれば、目印を用いた案内交差点の移動案内を行う場合において、案内交差点よりも出発地側に目印が重複して存在する場合に追加の目印を設定し、元々の目印と追加した目印の両方を用いて案内交差点における移動案内を行うので、目印が重複して存在する場合においても目印を用いて案内交差点を正確に特定させる案内を行うことが可能となる。その結果、案内交差点におけるより適切な案内を行うことが可能となる。
【図面の簡単な説明】
【００１０】
【図１】本実施形態に係るナビゲーション装置を示したブロック図である。
【図２】目印データの一例を示した図である。
【図３】案内交差点と目印候補の位置関係を示した図である。
【図４】本実施形態に係る移動案内処理プログラムのフローチャートである。
【図５】本実施形態に係る案内情報生成処理のサブ処理プログラムのフローチャートである。
【図６】基準目印の選択方法について説明した図である。
【図７】基準目印を用いて案内交差点の案内を行う場合の案内例を示した図である。
【図８】基準目印と追加目印（他のジャンルの施設）を用いて案内交差点の案内を行う場合の案内例を示した図である。
【図９】基準目印と追加目印（他の特徴ある構造物）を用いて案内交差点の案内を行う場合の案内例を示した図である。
【図１０】基準目印と追加目印（道路の特徴）を用いて案内交差点の案内を行う場合の案内例を示した図である。
【図１１】基準目印と追加目印（基準目印の特徴）を用いて案内交差点の案内を行う場合の案内例を示した図である。
【発明を実施するための形態】
【００１１】
以下、本発明に係る移動案内装置をナビゲーション装置に具体化した一実施形態に基づき図面を参照しつつ詳細に説明する。先ず、本実施形態に係るナビゲーション装置１の概略構成について図１を用いて説明する。図１は本実施形態に係るナビゲーション装置１を示したブロック図である。
【００１２】
図１に示すように本実施形態に係るナビゲーション装置１は、ナビゲーション装置１が搭載された車両の現在位置を検出する現在位置検出部１１と、各種のデータが記録されたデータ記録部１２と、入力された情報に基づいて、各種の演算処理を行うナビゲーションＥＣＵ１３と、ユーザからの操作を受け付ける操作部１４と、ユーザに対して地図や目的地までの案内経路を表示する液晶ディスプレイ１５と、経路案内に関する音声ガイダンスを出力するスピーカ１６と、記憶媒体であるＤＶＤを読み取るＤＶＤドライブ１７と、プローブセンタやＶＩＣＳ（登録商標：Vehicle Information and Communication System）センタ等の情報センタとの間で通信を行う通信モジュール１８と、を有する。
【００１３】
以下に、ナビゲーション装置１が有する各構成要素について順に説明する。
現在位置検出部１１は、ＧＰＳ２１、車速センサ２２、ステアリングセンサ２３、ジャイロセンサ２４等からなり、現在の車両の位置、方位、車両の走行速度、現在時刻等を検出することが可能となっている。ここで、特に車速センサ２２は、車両の移動距離や車速を検出する為のセンサであり、車両の駆動輪の回転に応じてパルスを発生させ、パルス信号をナビゲーションＥＣＵ１３に出力する。そして、ナビゲーションＥＣＵ１３は発生するパルスを計数することにより駆動輪の回転速度や移動距離を算出する。尚、上記４種類のセンサをナビゲーション装置１が全て備える必要はなく、これらの内の１又は複数種類のセンサのみをナビゲーション装置１が備える構成としても良い。
【００１４】
また、データ記録部１２は、外部記憶装置及び記録媒体としてのハードディスク（図示せず）と、ハードディスクに記録された地図情報ＤＢ３１や所定のプログラム等を読み出すとともにハードディスクに所定のデータを書き込む為のドライバである記録ヘッド（図示せず）とを備えている。尚、データ記録部１２をハードディスクの代わりに不揮発性メモリ、メモリーカード、ＣＤやＤＶＤ等の光ディスクにより構成しても良い。また、地図情報ＤＢ３１は外部のサーバに格納させ、ナビゲーション装置１が通信により取得する構成としても良い。
【００１５】
ここで、地図情報ＤＢ３１は、例えば、道路（リンク）に関するリンクデータ３３、ノード点に関するノードデータ３４、各交差点に関する交差点データ３５、目印に関する目印データ３６、施設等の地点に関する地点データ、地図を表示するための地図表示データ、経路を探索するための探索データ、地点を検索するための検索データ等が記憶された記憶手段である。
【００１６】
ここで、リンクデータ３３としては、例えば、該リンクを識別するリンクＩＤ、該リンクの端部に位置するノードを特定する端部ノード情報、該リンクを構成する道路の道路種別等が記憶される。また、ノードデータ３４としては、該ノードを識別するノードＩＤ、該ノードの位置座標、該ノードがリンクを介して接続される接続先ノードを特定する接続先ノード情報等が記憶される。また、交差点データ３５としては、該交差点を形成するノードを特定する該当ノード情報、該交差点に接続されるリンク（以下、接続リンクという）を特定する接続リンク情報、交差点の形状を特定する情報等が記憶される。
【００１７】
また、目印データ３６としては、案内交差点の案内を行う場合に目印となり得る候補（以下、目印候補という）が記憶される。ここで、目印候補としては、例えば遠方からも識別可能な施設（例えばコンビニエンスストア、ガソリンスタンド、警察署、消防署等）、上記施設には該当しないが設備（例えば看板、駐車場）や外観（例えば色、素材、大きさ）に何らかの特徴がある構造物（オフィスビル、マンション等）、案内交差点に接続される道路の特徴（例えば歩道橋、高架、中央分離帯の有無、車線数、道路幅）等が該当する。また、特に上記施設や構造物に関して設備や外観に特徴がある場合には、当該特徴についても目印候補として含まれる。そして、目印データ３６は、全国にある目印候補毎に目印候補の位置や種類を識別する情報が記憶されている。尚、目印候補としては、交差点から所定範囲内（例えば半径１００ｍ以内）に位置する物のみを記憶としても良い。
【００１８】
ここで、図２は地図情報ＤＢ３１に記憶される目印データ３６の一例を示した図である。図２に示すように目印データ３６は、目印候補毎に、目印候補が周辺に位置する交差点（即ち目印候補によって案内が可能な交差点）を識別する交差点ＩＤ（但し、目印候補が交差点周辺にある場合のみ）と、目印候補が位置する位置座標（但し、目印候補が道路の特徴である場合にはリンクＩＤ）と、交差点に対する相対的な位置関係と、目印候補を目印として案内する際に出力する音声データ（音声内容を示すフレーズでもよい）とが対応付けられて記憶されている。更に、目印候補となる施設や構造物について設備や外観に特徴がある場合には、当該特徴について目印候補に紐付けられて格納される。尚、“交差点に対する相対的な位置関係”とは、図３に示すように案内交差点の周辺を案内交差点に接続する道路で区分した複数のエリアの内、どのエリアに目印候補があるかを特定する情報である。図３に示す例は４叉路の交差点であるが、３叉路や５叉路等の交差点の形状に応じてエリアの形や数は適宜変更される。
【００１９】
例えば、図２ではＩＤ「１０００１」の交差点の周辺には、“コンビニエンスストア”と“ガソリンスタンド”の２つの施設が目印候補として存在することを示している。また、“コンビニエンスストア”は特に駐車場があるという目印となり得る特徴についても有し、“ガソリンスタンド”は特にセルフ式という目印となり得る特徴についても有することを示している。一方、ＩＤ「１０００２」の交差点の周辺には、外観に特徴のある“ガラス張りのビル”と交差点に接続する道路に設置された“歩道橋”が目印候補として存在することを示している。同様に他の目印候補に関する情報も記憶されている。尚、特に施設を目印とする場合に出力する案内のフレーズは、『コンビニエンスストア』、『ガソリンスタンド』等の広いジャンルを特定するフレーズではなく、より下位概念のジャンル、例えばコンビニエンスストアであれば、どの系列のコンビニエンスストアかを特定するフレーズを出力するようにしても良い。その場合には目印データ３６として目印候補のより下位概念のジャンルを特定する情報を含める。
【００２０】
そして、ナビゲーションＥＣＵ１３は、後述のように地図情報ＤＢ３１に記憶された目印データ３６に基づいて、車両の進行方向前方にある案内交差点を案内する為の基準目印と追加目印（追加目印については必要な場合のみ）をそれぞれ設定する。そして、設定された基準目印や追加目印に基づいて、車両の進行方向前方にある案内交差点の案内を生成し、出力する。尚、案内交差点とは、ナビゲーション装置１に設定されている案内経路に従ってナビゲーション装置１が走行の案内を行う際に、右左折指示等の案内を行う対象となる交差点である。
【００２１】
一方、ナビゲーションＥＣＵ（エレクトロニック・コントロール・ユニット）１３は、ナビゲーション装置１の全体の制御を行う電子制御ユニットであり、演算装置及び制御装置としてのＣＰＵ４１、並びにＣＰＵ４１が各種の演算処理を行うにあたってワーキングメモリとして使用されるとともに、経路が探索されたときの経路データ等が記憶されるＲＡＭ４２、制御用のプログラムのほか、後述の移動案内処理プログラム（図４）等が記録されたＲＯＭ４３、ＲＯＭ４３から読み出したプログラムを記憶するフラッシュメモリ４４等の内部記憶装置を備えている。尚、ナビゲーションＥＣＵ１３は、処理アルゴリズムとしての各種手段を有する。例えば、目印設定手段は、案内交差点周辺にあって案内交差点における移動体（車両）の移動案内を行う目印となる基準目印を設定する。重複判定手段は、案内交差点よりも移動経路の出発地側に基準目印が重複して存在するか否か判定する。追加目印設定手段は、案内交差点よりも移動経路の出発地側に基準目印が重複して存在すると判定された場合に、案内交差点周辺にある基準目印以外の目印を追加目印として設定する。移動案内手段は、基準目印及び追加目印を用いて案内交差点における移動案内を行う。
【００２２】
操作部１４は、走行開始地点としての出発地及び走行終了地点としての目的地を入力する際等に操作され、各種のキー、ボタン等の複数の操作スイッチ（図示せず）から構成される。そして、ナビゲーションＥＣＵ１３は、各スイッチの押下等により出力されるスイッチ信号に基づき、対応する各種の動作を実行すべく制御を行う。尚、操作部１４は液晶ディスプレイ１５の前面に設けたタッチパネルを有しても良い。また、マイクと音声認識装置を有しても良い。
【００２３】
また、液晶ディスプレイ１５には、道路を含む地図画像、交通情報、操作案内、操作メニュー、キーの案内、出発地から目的地までの案内経路、案内経路に沿った案内情報、ニュース、天気予報、時刻、メール、テレビ番組等が表示される。また、案内交差点が車両の進行方向前方の所定距離以内（例えば５００ｍ）に接近した場合には、案内交差点付近の拡大図や車両の案内交差点における進行方向についても表示する。尚、液晶ディスプレイ１５の代わりに、ＨＵＤやＨＭＤを用いても良い。
【００２４】
また、スピーカ１６は、ナビゲーションＥＣＵ１３からの指示に基づいて案内経路に沿った走行を案内する音声ガイダンスや、交通情報の案内を出力する。特に本実施形態では、案内交差点が車両の進行方向前方の所定距離（例えば、７００ｍ、３００ｍ、５０ｍ）に到達したタイミングで、案内経路に沿った走行を案内する音声案内の出力を開始する。また、本実施形態に係るナビゲーション装置１では、自車の進行方向前方にある案内交差点を案内するのに適切な目印がある場合には、目印を用いた音声案内を出力する。例えば、「コンビニエンスストアのある交差点を右（左）方向です。」等を出力する。
【００２５】
また、ＤＶＤドライブ１７は、ＤＶＤやＣＤ等の記録媒体に記録されたデータを読み取り可能なドライブである。そして、読み取ったデータに基づいて音楽や映像の再生、地図情報ＤＢ３１の更新等が行われる。尚、ＤＶＤドライブ１７に替えてメモリーカードを読み書きする為のカードスロットを設けても良い。
【００２６】
また、通信モジュール１８は、例えば、ＶＩＣＳセンタやプローブセンタ等から送信された地図更新情報、支援情報、交通情報等の各情報を受信する為の通信装置であり、例えば携帯電話機やＤＣＭが該当する。
【００２７】
続いて、前記構成を有するナビゲーション装置１においてナビゲーションＥＣＵ１３が実行する移動案内処理プログラムについて図４に基づき説明する。図４は本実施形態に係る移動案内処理プログラムのフローチャートである。ここで、移動案内処理プログラムは車両のＡＣＣ電源(accessory power supply)がＯＮされた後に実行され、案内経路に沿った車両の走行案内を行うプログラムである。尚、以下の図４及び図５にフローチャートで示されるプログラムは、ナビゲーション装置１が備えているＲＡＭ４２やＲＯＭ４３に記憶されており、ＣＰＵ４１により実行される。
【００２８】
先ず、移動案内処理プログラムではステップ（以下、Ｓと略記する）１において、ＣＰＵ４１は、経路の目的地を設定する。尚、目的地は基本的に操作部１４において受け付けたユーザの操作（例えば登録地点の読出操作、施設の検索や選択操作）に基づいて設定する。
【００２９】
その後、Ｓ２においてＣＰＵ４１は、ナビゲーション装置１が有する地図情報を用いて出発地から前記Ｓ１で設定された目的地までの経路探索処理を行い、出発地から目的地までの推奨経路を特定する。具体的には、地図情報に含まれるリンクデータ、ノードデータ、探索データ等に基づいて、リンク（道路）に対する経路として適正の程度を数値化したリンクコストや、交差点（ノード）に対する経路として適正の程度を数値化した交差点コストや、走行に必要な費用の程度を数値化した料金コスト等を算出し、算出された各探索コストを用いて推奨経路の探索を行う。例えば公知のダイクストラ法を用い、コスト値の合計が最小となる経路を推奨経路とする。尚、ダイクストラ法を用いた経路探索処理は既に公知であるので詳細は省略する。また、出発地は車両の現在位置としても良いし、ユーザにより指定された任意の地点（例えば自宅）としても良い。そして、探索された経路をユーザの操作に基づいてナビゲーション装置１の案内経路として設定する。
【００３０】
尚、前記Ｓ２の経路探索処理はナビゲーション装置１でなく外部のサーバ装置により行っても良い。その場合には、経路探索を要求する為の経路探索要求をサーバ装置へと送信し、サーバ装置が有する地図情報に基づいて推奨経路の探索が行われる。そして、探索された推奨経路をサーバ装置から受信し、ユーザの操作に基づいてナビゲーション装置１の案内経路として設定する。
【００３１】
次に、Ｓ３においてＣＰＵ４１は、後述の案内情報生成処理（図５）を実行する。尚、案内情報生成処理は、後述のように車両の現在位置から案内経路に沿って所定距離（例えば３ｋｍ）内の区間を対象として、車両の走行案内に用いる案内情報を生成する処理である。尚、前記Ｓ３では車両の現在位置から所定距離内ではなく目的地までの全経路の案内情報を生成しても良い、その場合には後述のＳ７及びＳ８の処理は不要となる。
【００３２】
以降のＳ４〜Ｓ８の処理は、車両が目的地に到着するまで所定間隔で繰り返し実行される。そして、車両が目的地に到着した後に当該移動案内処理プログラムを終了する。
【００３３】
先ず、Ｓ４においてＣＰＵ４１は、車両の現在位置を現在位置検出部１１の検出結果や地図情報に基づいて特定する。尚、車両の現在位置を特定する際には、車両の現在位置を地図情報にマッチングさせるマップマッチング処理についても行う。
【００３４】
その後、Ｓ５においてＣＰＵ４１は、案内交差点で走行案内を行う為の音声案内の出力タイミングか否かを判定する。具体的には、車両の現在位置が案内交差点の７００ｍ手前、３００ｍ手前、５０ｍ手前に位置するタイミングを、音声案内の出力タイミングとする。
【００３５】
そして、案内交差点で走行案内を行う為の音声案内の出力タイミングであると判定された場合（Ｓ５：ＹＥＳ）には、Ｓ６へと移行する。それに対して、案内交差点で走行案内を行う為の音声案内の出力タイミングではないと判定された場合（Ｓ５：ＮＯ）には、Ｓ７へと移行する。
【００３６】
Ｓ６においてＣＰＵ４１は、車両の現在位置に対応する音声案内をスピーカ１６から出力する。尚、前記Ｓ６で出力される音声案内は予め前記Ｓ３又は後述のＳ８の案内情報生成処理で生成された音声データである。尚、音声データではなく音声の内容を示すテキストデータが生成された場合には、テキストデータを読み上げる音声をスピーカ１６から出力する。特に本実施形態では、案内交差点の案内を行うのに適した目印が存在する場合には、目印を用いた音声案内を出力する。尚、目印を用いた音声案内の詳細については後述する。また、前記Ｓ６では音声案内の出力に併せて液晶ディスプレイ１５において交差点拡大図の表示等を行うようにしても良い。また、音声ではなく液晶ディスプレイ１５に表示する文章によって案内交差点の案内を行うようにしても良い。
【００３７】
次に、Ｓ７においてＣＰＵ４１は、直近の案内情報生成処理（Ｓ３又はＳ８）を行ったタイミングから車両が一定距離（例えば３ｋｍ）走行したか否かを判定する。尚、一定距離については適宜設定可能であるが、例えば３ｋｍとする。
【００３８】
そして、直近の案内情報生成処理（Ｓ３又はＳ８）を行ったタイミングから車両が一定距離走行したと判定された場合（Ｓ７：ＹＥＳ）には、Ｓ８へと移行する。それに対して、直近の案内情報生成処理（Ｓ３又はＳ８）を行ったタイミングから車両が一定距離走行していないと判定された場合（Ｓ７：ＮＯ）には、Ｓ４へと戻る。
【００３９】
Ｓ８においてＣＰＵ４１は、Ｓ３と同様に後述の案内情報生成処理（図５）を実行する。尚、案内情報生成処理は、後述のように車両の現在位置から案内経路に沿って所定距離内の区間を対象として、車両の走行案内に用いる案内情報を生成する処理である。その後、Ｓ４へと戻る。
【００４０】
次に、前記Ｓ３及びＳ８において実行される案内情報生成処理のサブ処理について図５に基づき説明する。図５は案内情報生成処理のサブ処理プログラムのフローチャートである。
【００４１】
先ず、Ｓ１１においてＣＰＵ４１は、現時点でナビゲーション装置１に設定されている案内経路に沿って、車両の現在位置から所定距離以内（例えば３ｋｍ以内）の区間について、リンク列を作成する。尚、リンク列は最も詳細なレベル０のリンクで作成する。
【００４２】
続いて、Ｓ１２においてＣＰＵ４１は、前記Ｓ１１で作成したリンク列に含まれるリンクごとに、案内が必要なリンクか否か、即ち終点が案内交差点に該当するか否かを判定する。具体的には、案内経路が道なり方向に通過しない交差点や、道なり方向に通過する場合であっても特殊な交差点について、案内交差点に該当する。
【００４３】
そして、処理対象のリンクが案内の必要なリンクに該当する、即ち処理対象のリンクの終点が案内交差点に該当すると判定された場合（Ｓ１２：ＹＥＳ）には、Ｓ１３へと移行する。
【００４４】
Ｓ１３においてＣＰＵ４１は、処理対象のリンクの終点にある案内交差点を対象として、案内交差点の案内に用いるのに適当な目印候補があるか否かを判定する。具体的には、地図情報ＤＢ３１に含まれる目印データ３６（図２）を参照し、案内交差点の周辺に目印候補（即ち目印データ３６において案内交差点に紐付けられた目印候補）が少なくとも一以上あるか否か判定する。但し、案内交差点に接続される道路の特徴については、車両が案内交差点に進入する進入道路又は進入道路に対して交差する交差道路の特徴のみを判定対象とする。
【００４５】
そして、案内交差点の案内に用いるのに適当な目印候補があると判定された場合（Ｓ１３：ＹＥＳ）には、Ｓ１５へと移行する。それに対して、案内交差点の案内に用いるのに適当な目印候補が無いと判定された場合（Ｓ１３：ＮＯ）には、Ｓ１４へと移行する。
【００４６】
Ｓ１４においてＣＰＵ４１は、処理対象のリンクの終点にある案内交差点の案内として目印を用いない案内に決定する。目印を用いない案内としては、例えば案内交差点までの距離を用いた案内がある。そして、案内交差点を案内する際に出力される音声データを生成する。例えば、「○○ｍ先、分岐を左（右）方向です」の音声データを生成する。また、前記Ｓ１４では音声データ自体ではなく音声内容を示すフレーズを生成しても良い。
【００４７】
一方、Ｓ１５においてＣＰＵ４１は、処理対象のリンクの終点にある案内交差点を案内する際の目印として用いる目印候補を選択する。尚、前記Ｓ１５で選択する目印候補を以下、基準目印と称する。
【００４８】
ここで、目印データ３６において案内交差点に紐付けられた目印候補が一のみである場合には、該目印候補が基準目印となる。一方、案内交差点に紐付けられた目印候補が複数ある場合には、複数の目印候補の内から以下の基準で基準目印を選択する。
【００４９】
先ず、目印候補の種別として以下の（１）に該当する目印候補が存在する場合には（１）に該当する目印候補を最も優先して基準目印に選択する。（１）に該当する目印候補が無い場合には、（２）に該当する目印候補を基準目印に選択する。（１）と（２）に該当する目印候補が無い場合には（３）に該当する目印候補を基準目印に選択する。
（１）遠方からも識別可能な施設（例えばコンビニエンスストア、ガソリンスタンド、警察署、消防署等）
（２）上記施設には該当しないが設備（例えば看板、駐車場）や外観（例えば色、素材、大きさ）に何らかの特徴がある構造物（オフィスビル、マンション等）
（３）案内交差点に接続される道路の特徴（例えば歩道橋、高架、中央分離帯の有無）
【００５０】
上記基準で基準目印を選択した結果、更に複数の候補がある場合には、以下の基準で基準目印を選択する。
図６に示すように案内交差点５２の周辺を案内交差点５２に接続する道路で区分した複数のエリアの内、案内交差点５２に対して進入道路側にあるエリアを他のエリアよりも高い優先度に設定し、案内交差点５２に対して退出道路側にあるエリアを他のエリアよりも高い優先度に設定する。そして最も優先度の高いエリアにある目印候補を基準目印に選択する。尚、目印候補がどのエリアに存在するかについては目印データ３６に記憶されている。
【００５１】
続いて、Ｓ１６においてＣＰＵ４１は、案内交差点の案内が開始される案内開始点（例えば案内交差点から案内経路に沿って出発地側に７００ｍ手前の地点）から案内交差点までの間の道路沿いにある目印候補（以下、手前側目印候補という）を目印データ３６に基づいて検索する。そして、前記Ｓ１５で基準目印に設定された目印候補と手前側目印候補とを比較し、基準目印が重複して存在するか否かを判定する。ここで、基準目印が重複して存在するとは、基準目印とジャンル、外観などが同一又は類似する手前側目印候補があることをいい、例えば基準目印が『コンビニエンスストア』であれば、手前側目印候補に『コンビニエンスストア』が存在すれば基準目印が重複して存在すると判定される。尚、案内フレーズとしてどの系列のコンビニエンスストアかを特定するフレーズまで出力するのであれば、手前側目印候補に『コンビニエンスストア』が存在したとしても同じ系列の『コンビニエンスストア』が存在しなければ、基準目印が重複して存在しないと判定しても良い。
【００５２】
そして、案内交差点よりも出発地側に基準目印が重複して存在すると判定された場合（Ｓ１６：ＹＥＳ）には、Ｓ１８へと移行する。それに対して、案内交差点よりも出発地側に基準目印が重複して存在しないと判定された場合（Ｓ１６：ＮＯ）には、Ｓ１７へと移行する。
【００５３】
Ｓ１７においてＣＰＵ４１は、処理対象のリンクの終点にある案内交差点の案内として前記Ｓ１５で設定された基準目印を用いる案内に決定する。そして、案内交差点を案内する際に出力される音声データを生成する。具体的には、基準目印を識別するフレーズを含む案内フレーズの音声データを生成する。例えば、『コンビニエンスストア』が基準目印として設定されている場合には「コンビニエンスストアのある交差点を左（右）方向です」の音声データを生成する。尚、前記Ｓ１７で生成される音声データの内、基準目印を識別するフレーズ部分の音声データについては予め目印データ３６（図２）に格納されている。また、前記Ｓ１７では音声データ自体ではなく音声内容を示すフレーズを生成しても良い。
【００５４】
その結果、例えば図７に示すように車両５１が案内交差点５２から７００ｍ手前又は３００ｍ手前に位置するタイミングにおいて、案内交差点５２の周辺にあるコンビニエンスストアの施設５３が基準目印として設定されている場合には「コンビニエンスストアのある交差点を左（右）方向です」の音声が出力される。
【００５５】
一方、Ｓ１８においてＣＰＵ４１は、目印データ３６に基づいて案内交差点の周辺に基準目印以外の目印候補（以下、他の目印候補という）があるか否かを判定する。具体的には、目印データ３６において対象となる案内交差点に基準目印以外の目印候補が紐付けられている場合に、他の目印候補があると判定される。但し、基準目印と同じジャンルの施設、及び基準目印と同一の構造物については、他の目印候補から除外される。また、案内交差点に接続される道路の特徴については、車両が案内交差点に進入する進入道路又は進入道路に対して交差する交差道路の特徴のみを判定対象とする。
【００５６】
そして、案内交差点の周辺に基準目印以外の他の目印候補があると判定された場合（Ｓ１８：ＹＥＳ）には、Ｓ１９へと移行する。それに対して、案内交差点の周辺に基準目印以外の他の目印候補がないと判定された場合（Ｓ１８：ＮＯ）には、Ｓ２１へと移行する。
【００５７】
Ｓ１９においてＣＰＵ４１は、他の目印候補を、基準目印に加えて処理対象のリンクの終点にある案内交差点を案内する際の目印として用いる目印候補に選択する。尚、前記Ｓ１９で選択する目印候補を以下、追加目印と称する。
【００５８】
尚、上述した（１）〜（３）のいずれの目印候補も追加目印となり得るが、（１）に該当する他の目印候補が存在する場合には（１）に該当する他の目印候補を最も優先して追加目印に選択する。（１）に該当する他の目印候補が無い場合には、（２）に該当する他の目印候補を追加目印に選択する。（１）と（２）に該当する他の目印候補が無い場合には（３）に該当する他の目印候補を追加目印に選択する。
【００５９】
次に、Ｓ２０においてＣＰＵ４１は、処理対象のリンクの終点にある案内交差点の案内として前記Ｓ１５で設定された基準目印と前記Ｓ１９で設定された追加目印を用いる案内に決定する。そして、案内交差点を案内する際に出力される音声データを生成する。具体的には、基準目印を識別する第１のフレーズと追加目印を識別する第２のフレーズとを夫々含む案内フレーズの音声データを生成する。例えば、『コンビニエンスストア』が基準目印として設定され、案内交差点周辺にある他のジャンルの施設である『ガソリンスタンド』が追加目印として設定されている場合には「コンビニエンスストアとガソリンスタンドのある交差点を左（右）方向です」の音声データを生成する。また、『コンビニエンスストア』が基準目印として設定され、案内交差点周辺にある外観に特徴のある構造物である『ガラス張りのビル』が追加目印として設定されている場合には「コンビニエンスストアとガラス張りのビルのある交差点を左（右）方向です」の音声データを生成する。また、『コンビニエンスストア』が基準目印として設定され、案内交差点への進入道路の特徴である『歩道橋』が追加目印として設定されている場合には「歩道橋の先のコンビニエンスストアのある交差点を左（右）方向です」の音声データを生成する。尚、前記Ｓ２０で生成される音声データの内、基準目印を識別する第１のフレーズ部分及び追加目印を識別する第２のフレーズ部分の音声データについては予め目印データ３６（図２）に格納されている。また、前記Ｓ２０では音声データ自体ではなく音声内容を示すフレーズを生成しても良い。
【００６０】
その結果、例えば図８に示すように車両５１が案内交差点５２から７００ｍ手前又は３００ｍ手前に位置するタイミングにおいて、案内交差点５２の周辺にあるコンビニエンスストアの施設５３が基準目印として設定され、同じく案内交差点５２の周辺にあるガソリンスタンドの施設５４が追加目印として設定されている場合には「コンビニエンスストアとガソリンスタンドのある交差点を左（右）方向です」の音声が出力される。
【００６１】
また、図９に示すように車両５１が案内交差点５２から７００ｍ手前又は３００ｍ手前に位置するタイミングにおいて、案内交差点５２の周辺にあるコンビニエンスストアの施設５３が基準目印として設定され、同じく案内交差点５２の周辺にあるガラス張りのビル５５が追加目印として設定されている場合には「コンビニエンスストアとガラス張りのビルのある交差点を左（右）方向です」の音声が出力される。
【００６２】
また、図１０に示すように車両５１が案内交差点５２から７００ｍ手前又は３００ｍ手前に位置するタイミングにおいて、案内交差点５２の周辺にあるコンビニエンスストアの施設５３が基準目印として設定され、案内交差点５２の進入道路にある歩道橋５６が追加目印として設定されている場合には「歩道橋の先のコンビニエンスストアのある交差点を左（右）方向です」の音声が出力される。
【００６３】
一方、Ｓ２１においてＣＰＵ４１は、目印データ３６に基づいて基準目印に設定された目印候補について設備や外観に特徴があるか否かを判定する。尚、上述したように目印データ３６には、目印候補となる施設や構造物について設備や外観に特徴がある場合には、当該特徴について目印候補に紐付けられて格納されている（図２参照）。但し、基準目印に設定された目印候補について設備や外観に特徴がある場合であっても、当該特徴が前記Ｓ１６で重複すると判定された手前側目印候補と同一の特徴である場合には、当該特徴によって手前側目印候補との識別が困難であるので特徴は無いと判定する。即ち、前記Ｓ２１は前記Ｓ１６で重複すると判定された手前側目印候補と設備や外観に関して異なる特徴があるか否かを判定する。
【００６４】
そして、基準目印に設定された目印候補について設備や外観に特徴があると判定された場合（Ｓ２１：ＹＥＳ）には、Ｓ２２へと移行する。それに対して、基準目印に設定された目印候補について設備や外観に特徴がないと判定された場合（Ｓ２１：ＮＯ）には、Ｓ１４へと移行する。Ｓ１４では上述したように処理対象のリンクの終点にある案内交差点の案内として目印を用いない案内が決定される。
【００６５】
Ｓ２２においてＣＰＵ４１は、基準目印の設備や外観に関する特徴を、基準目印に加えて処理対象のリンクの終点にある案内交差点を案内する際の目印として用いる追加目印に選択する。
【００６６】
その後、Ｓ２０においてＣＰＵ４１は、処理対象のリンクの終点にある案内交差点の案内として前記Ｓ１５で設定された基準目印と前記Ｓ２２で設定された追加目印を用いる案内に決定する。そして、案内交差点を案内する際に出力される音声データを生成する。具体的には、基準目印を識別する第１のフレーズと追加目印を識別する第２のフレーズとを夫々含む案内フレーズの音声データを生成する。例えば、『コンビニエンスストア』が基準目印として設定され、基準目印であるコンビニエンスストアに『駐車場がある』という設備面での特徴が追加目印として設定されている場合には「駐車場を備えるコンビニエンスストアのある交差点を左（右）方向です」の音声データを生成する。尚、前記Ｓ２０で生成される音声データの内、基準目印を識別する第１のフレーズ部分及び追加目印を識別する第２のフレーズ部分の音声データについては予め目印データ３６（図２）に格納されている。また、前記Ｓ２０では音声データ自体ではなく音声内容を示すフレーズを生成しても良い。
【００６７】
その結果、例えば図１１に示すように車両５１が案内交差点５２から７００ｍ手前又は３００ｍ手前に位置するタイミングにおいて、案内交差点５２の周辺にあるコンビニエンスストアの施設５３が基準目印として設定され、コンビニエンスストアの施設５３が備える『駐車場がある』という設備面での特徴が追加目印として設定されている場合には「駐車場を備えるコンビニエンスストアのある交差点を左（右）方向です」の音声が出力される。
【００６８】
図８〜図１１に示すように基準目印に加えて追加目印を用いた案内を行うことによって、基準目印が重複して存在する場合であっても追加目印の案内によって案内交差点をユーザに正確に特定させることが可能となる。
【００６９】
一方、処理対象のリンクが案内の必要なリンクに該当しないと判定された場合（Ｓ１２：ＮＯ）には、処理対象となるリンクを切り替える。そして、前記Ｓ１１で作成したリンク列に含まれる全てのリンクに対してＳ１２〜Ｓ２０の処理が終了した後にＳ４へと移行する。
【００７０】
以上詳細に説明した通り、本実施形態に係るナビゲーション装置１、ナビゲーション装置１で実行されるコンピュータプログラムによれば、案内経路に沿った車両の走行案内を行う場合において、案内交差点周辺にあって案内交差点における移動体の移動案内を行う目印となる基準目印を設定し（Ｓ１５）、案内交差点よりも出発地側に基準目印が重複して存在する場合に、案内交差点周辺にある基準目印以外の目印を追加目印として設定し（Ｓ１９、Ｓ２２）、基準目印及び追加目印を用いて案内交差点における走行案内を行う（Ｓ６）ので、目印が重複して存在する場合においても目印を用いて案内交差点を正確に特定させる案内を行うことが可能となる。その結果、案内交差点におけるより適切な案内を行うことが可能となる。
【００７１】
尚、本発明は前記実施形態に限定されるものではなく、本発明の要旨を逸脱しない範囲内で種々の改良、変形が可能であることは勿論である。
例えば、本実施形態では、案内交差点を案内する際の目印の候補となる目印候補に関する情報はナビゲーション装置１が有する地図情報ＤＢ３１から取得することとしているが、外部サーバから取得しても良い。更に、地図情報自体について外部サーバから取得することとすれば、ナビゲーション装置１は地図情報ＤＢ３１を省略することも可能である。
【００７２】
また、本実施形態では、目印候補として上記（１）〜（３）の施設、構造物、道路の特徴を挙げているが、（１）〜（３）以外の要素を目印候補に含めることも可能である。例えば、信号機、踏切、道路標識なども目印候補に含めても良い。
【００７３】
また、本実施形態では、基準目印の外観又は設備に関する特徴を追加目印に設定する（Ｓ２２）こととしているが、外観や設備以外の特徴を追加目印に設定しても良い。例えば、基準目印が店舗である場合には販売する商品の種類、提供するサービスの種類等を追加目印に設定しても良い。
【００７４】
また、本発明はナビゲーション装置以外に、案内経路に基づく移動案内を行う機能を有する各種装置に対して適用することが可能である。例えば、携帯電話機やスマートフォン等の携帯端末、パーソナルコンピュータ、タブレット型端末等（以下、携帯端末等という）に適用することも可能である。その場合には、車両の移動案内以外に、ユーザが歩行や自転車で移動する場合における移動案内を対象とすることも可能である。
【００７５】
また、ナビゲーション装置１とサーバ、或いは携帯端末等とサーバから構成されるシステムに対しても適用することが可能となる。その場合には、上述した移動案内処理プログラム（図４及び図５）の各ステップは、サーバで一部を実施する構成としても良い。例えば、経路探索処理（Ｓ２）や案内情報の生成処理（Ｓ３、Ｓ８）についてサーバで行うようにしても良い。
【００７６】
また、本発明に係る移動案内装置及びコンピュータプログラムを具体化した実施例について上記に説明したが、移動案内装置は以下の構成を有することも可能であり、その場合には以下の効果を奏する。
【００７７】
例えば、第１の構成は以下のとおりである。
移動体（５１）の移動経路周辺に位置する目印を用いて案内交差点における移動体の移動案内を行う移動案内装置（１）であって、前記案内交差点（５２）周辺にあって前記案内交差点における移動体の移動案内を行う目印となる基準目印（５３）を設定する目印設定手段（４１）と、前記案内交差点よりも前記移動経路の出発地側に前記基準目印が重複して存在するか否か判定する重複判定手段（４１）と、前記案内交差点よりも前記移動経路の出発地側に前記基準目印が重複して存在すると判定された場合に、前記案内交差点周辺にある前記基準目印以外の目印を追加目印（５４〜５６）として設定する追加目印設定手段（４１）と、前記基準目印及び前記追加目印を用いて前記案内交差点における移動案内を行う移動案内手段（４１）と、を有する。
上記構成を有する移動案内装置によれば、目印を用いた案内交差点の移動案内を行う場合において、案内交差点よりも出発地側に目印が重複して存在する場合に追加の目印を設定し、元々の目印と追加した目印の両方を用いて案内交差点における移動案内を行うので、目印が重複して存在する場合においても目印を用いて案内交差点を正確に特定させる案内を行うことが可能となる。その結果、案内交差点におけるより適切な案内を行うことが可能となる。
【００７８】
また、第２の構成は以下のとおりである。
前記基準目印（５３）を識別する第１フレーズと、前記追加目印（５４〜５６）を識別する第２フレーズとをそれぞれ含む案内フレーズを生成し、前記移動案内手段（４１）は、生成された前記案内フレーズを出力することにより前記案内交差点（５２）の案内を行う。
上記構成を有する移動案内装置によれば、基準目印を識別するフレーズと追加目印を識別するフレーズとをそれぞれ含む案内フレーズを出力することによって、基準目印と追加目印がどのような目印であるかをユーザに認識させ、案内交差点を正確に特定させる案内を行うことが可能となる。
【００７９】
また、第３の構成は以下のとおりである。
前記追加目印（５４〜５６）は、前記案内交差点（５２）の周辺にあって前記基準目印（５３）と異なるジャンルの施設である。
上記構成を有する移動案内装置によれば、基準目印が重複して存在する場合であっても、基準目印とジャンルの異なる施設を追加目印として用いて案内交差点における移動案内を行うので、目印を用いて案内交差点を正確に特定させる案内を行うことが可能となる。
【００８０】
また、第４の構成は以下のとおりである。
前記追加目印（５４〜５６）は、前記案内交差点（５２）の周辺にあって前記基準目印（５３）と異なる構造物であって特徴のある構造物である。
上記構成を有する移動案内装置によれば、基準目印が重複して存在する場合であっても、基準目印と異なる構造物を追加目印として用いて案内交差点における移動案内を行うので、目印を用いて案内交差点を正確に特定させる案内を行うことが可能となる。
【００８１】
また、第５の構成は以下のとおりである。
前記追加目印（５４〜５６）は、外観又は設備に特徴のある構造物である。
上記構成を有する移動案内装置によれば、基準目印が重複して存在する場合であっても、基準目印と異なるとともに外観又は設備に特徴のある構造物を追加目印として用いて案内交差点における移動案内を行うので、目印を用いて案内交差点を正確に特定させる案内を行うことが可能となる。
【００８２】
また、第６の構成は以下のとおりである。
前記追加目印（５４〜５６）は、前記案内交差点に接続される道路の特徴である。
上記構成を有する移動案内装置によれば、基準目印が重複して存在する場合であっても、案内交差点に接続される道路の特徴を追加目印として用いて案内交差点における移動案内を行うので、目印を用いて案内交差点を正確に特定させる案内を行うことが可能となる。
【００８３】
また、第７の構成は以下のとおりである。
前記追加目印（５４〜５６）は、前記案内交差点（５２）に接続される道路の内、移動体が前記案内交差点に進入する進入道路又は前記進入道路に対して交差する交差道路の特徴である。
上記構成を有する移動案内装置によれば、基準目印が重複して存在する場合であっても、案内交差点への進入道路又は進入道路と交差する道路の特徴を追加目印として用いて案内交差点における移動案内を行うので、目印を用いて案内交差点を正確に特定させる案内を行うことが可能となる。
【００８４】
また、第７の構成は以下のとおりである。
前記追加目印（５４〜５６）は、前記基準目印（５３）の外観又は設備に関する特徴である。
上記構成を有する移動案内装置によれば、基準目印が重複して存在する場合であっても、基準目印の外観又は設備に関する特徴を追加目印として用いて案内交差点における移動案内を行うので、目印を用いて案内交差点を正確に特定させる案内を行うことが可能となる。
【符号の説明】
【００８５】
１              ナビゲーション装置
１３            ナビゲーションＥＣＵ
３６            目印データ
４１            ＣＰＵ
４２            ＲＡＭ
４３            ＲＯＭ
５１            車両
５２            案内交差点
５３            基準目印
５４〜５６      追加目印
【図１】
2020091189.tif 000003
【図２】
2020091189.tif 000004
【図３】
2020091189.tif 000005
【図４】
2020091189.tif 000006
【図５】
2020091189.tif 000007
【図６】
2020091189.tif 000008
【図７】
2020091189.tif 000009
【図８】
2020091189.tif 000010
【図９】
2020091189.tif 000011
【図１０】
2020091189.tif 000012
【図１１】
2020091189.tif 000013